(57)【要約】  垂直なプレス力を方向転換させるための、少なくとも１つの摺動基台と、１つの摺動くさび体と、１つの駆動部とを含むくさび駆動ユニットである。摺動くさび体（３）を摺動基台（２）に摺動可能に連結するために少なくとも１つの案内突起（３６）が設けられ、案内突起（３６）は摺動基台（２）の側壁（７）に設けられた少なくとも１つの受け孔（２６）を外側から貫通して、摺動くさび体（３）の溝に係合している。前記摺動くさび体（３）は案内突起（３６）に支持され、案内突起（３６）は前記受け孔（２６）を境界付ける壁部に支持される。
2012511433.tif 000002
【特許請求の範囲】
【請求項１】
垂直なプレス力を方向転換させるための、少なくとも１つの摺動基台と摺動くさび体と駆動部とを含むくさび駆動ユニットであって、
前記摺動くさび体（３）を前記摺動基台（２）に摺動可能に連結するために設けられた少なくとも１つの案内突起（３６）が、前記摺動基台（２）の側壁（７）に設けられた少なくとも１つの受け孔（２６）を外側から貫通して前記摺動くさび体（３）の溝に係合しており、かつ
前記摺動くさび体（３）は前記案内突起（３６）に支持され、前記案内突起（３６）は前記受け孔（２６）を境界付けている壁部に支持されているくさび駆動ユニット。
【請求項２】
複数の前記案内突起（３６）が板状の装着部材（３０）上に配設され、前記装着部材（３０）は側壁（７）の外側に接当配置され、前記案内突起（３６）はそれぞれ前記受け孔（２６）を貫通してさらに、前記摺動くさび体（３）が嵌挿される前記摺動基台（２）の凹部（１６）内に突き出して、前記摺動くさび体（３）の受け溝（５３）に係合する請求項１に記載のくさび駆動ユニット。
【請求項３】
２枚の前記装着部材（３０）が対向する側壁に配置され、前記摺動くさび体（３）の受け溝（５３）に両側から対向して係合する請求項１又は２に記載のくさび駆動ユニット。
【請求項４】
前記案内突起（３６）は長手方向摺動可能に前記受け孔（２６）に支持されている請求項１から３のいずれか一項に記載のくさび駆動ユニット。
【請求項５】
前記案内突起（３６）は互いに対向側ないし反対となる側に前記受け孔（２６）の辺縁に接する受け面（３８）を有し、さらに、前記受け面（３８）に直接隣接して前記案内突起（３６）の互いに対向側ないし反対となる側に前記摺動くさび体（３）を受けるための受け面（３７）が設けられている請求項１から４のいずれか一項に記載のくさび駆動ユニット。
【請求項６】
前記受け孔（２６）の辺縁に接する受け面（３８）は互いに平行に配置され、かつ、前記摺動くさび体（３）を受けるための受け面（３７）も互いに平行に配置され、隣接する受け面（３７、３８）は互いに角度をなして配置されている請求項１から５のいずれか一項に記載のくさび駆動ユニット。
【発明の詳細な説明】
【技術分野】
【０００１】
本発明は請求項１の上位概念記載のくさび駆動ユニットに関する。
【背景技術】
【０００２】
くさび駆動ユニットは金属加工たとえばプレス加工に際してプレスツールとして使用される。これらのくさび駆動ユニットは、通例、パンチまたはその他の変形を可能にする装置と組み合わされる。一般的なくさび駆動ユニットは、摺動部材と摺動案内部材とを含む上部案内部と、駆動部を含む下部案内部、あるいはその逆構成の案内部を有している。これらのくさび駆動ユニットは摺動案内部材の側方を、一般に垂直なプレス力をもたらす駆動部によって可動される。駆動エレメントの側方で、くさび駆動ユニットは、加工される加工物も直接にまたは適切な載置装置を介して載置されるツールないしプレス盤台の上に固定されている。
【０００３】
ドイツ特許第２６４０３１８号明細書から、垂直なプレス力を垂直方向に対して角度をなして作用する変形加工力に方向転換するくさび駆動ユニットが知られている。このくさび駆動ユニットは、当該作業プレスの垂直力が作用する駆動くさび体と、その力を水平方向に伝達する摺動くさび体とからなる。この駆動くさび体ならびに摺動くさび体は丸み付けられた相互作用域を通じて変位するまたはさらに別の実施形態においてローラを介して変位する。
【０００４】
ドイツ出願公開第２４３９２１７号明細書から、プリズム形のくさびガイドを有するくさびプレスが知られており、この場合、接触面は屋根面状または溝面状に形成され、屋根面ないし溝面は圧力全体を受け止めるくさびの幅全体に及ぶ。
【０００５】
ドイツ特許第２３２９３２４号明細書から、プリズム形くさびガイドを有し、くさびの望ましくない運動を防止する装置を備えたくさび駆動プレスが知られている。
【０００６】
車体製造工業に使用される懸架式くさび駆動ユニットは一般に、駆動部と、駆動側摺動体と、受け側摺動体とからなる。受け側摺動体の上面には、受け側摺動体を下方に向かって押し付ける垂直な力が作用する。駆動部はツール内にしっかり固定されているため、受け側摺動体に圧力が作用する際、受け側摺動体に固定された駆動側摺動体は垂直な作動方向以外の任意の方向に加圧される。
【０００７】
懸架式くさび駆動ユニットは頻繁に使用される。このタイプでは、駆動側摺動体は受け側摺動体に懸架されてガイド内を可動する。駆動部はツール下部に剛的に着座して、駆動側摺動体の作動方向を定める。プレスの下降行程に際し、リバウンドした駆動側摺動体は駆動部に乗り上げて、さらに移動する受け側摺動体によって駆動部の作用面を通じて作動方向に摺動される。
【０００８】
このような従来の技術に属する公知のくさび駆動ユニットは、使用される摺動体が、多くの場合、短い耐久寿命しか持たず、かつその構造から大きな摩耗を受けるという短所を有する。したがって、それらは短い耐用期間で早くも交換されなければならないことが多いが、それは摩耗によって垂直なプレス力の正確な方向転換がもはや不可能となり、それが金属加工において許容できない誤差をもたらすためである。
【０００９】
ドイツ特許第１９７５３５４９号明細書から、連続的な工業的製造方法によって製造可能な、高い耐久寿命の達成を意図するくさび駆動ユニットが知られている。受け側摺動体における駆動側摺動体のガイドのために、青銅から形成され、グラファイトからなる滑り部材の取付けられたアングル板が設けられている。一般に、垂直なプレス力を方向転換するためのこのくさび駆動ユニットは、駆動部と、駆動側摺動体と、受け側摺動体とを備えており、その際、駆動部はプリズムガイドを有し、駆動部上の駆動側摺動体の走行路は受け側摺動体上の駆動側摺動体の走行路よりも短く、走行路相互の比は１：１．５、走行路間の角度αは５０°〜７０°である。この種の駆動側摺動体において、駆動エレメントはプリズム状の表面を有し、プリズム状表面の側面は外側に向かって下降するように形成されている。さらに、このくさび駆動ユニットは、摺動部材と駆動エレメントとのそれぞれの溝の互いに対向する２つの面に強制リターンクランプを有している。これにより、摺動部材をその当初ポジションに復帰させるバネエレメントが損傷した場合でも、摺動部材の復帰が保証され、螺着されたパンチエレメントの抜け落ちが回避される。摺動部材は摺動案内部材にアングル板と保持ネジを介して固定されており、摺動案内部材に対してアングル板に沿って可動される。
【００１０】
米国特許第５，１０１，７０５号明細書から、さらに別のくさび駆動ユニットが知られており、そこでは、摺動部材はアングル板に懸架されあるいはアングル板によって摺動案内部材に固定されている。この場合、摺動部材と摺動案内部材の間に所要の可動隙間を保証すべく、並置された板ないし固定に必要なエレメントに正確な切削を施す必要がある。このくさび駆動ユニットならびに、摺動案内部材と摺動部材がアングル板とネジを介して互いに結合されている他の公知のくさび駆動ユニットにあっても、すべての引張り力がネジに作用し、それによって、とりわけネジないしそれを取り巻く材料の膨張が生ずる場合、互いに相対可動する摺動案内部材と摺動部材の間の可動隙間が損なわれるという点が短所である。このことはさらに、ツールによってもたらされる負荷によりこの領域において摩耗が特に高まることによる耐久強度の劣化をもたらすことになる。またさらに、摺動部材は、アングル板によって制約されているため、加熱時に側方に膨張し得ないことも短所である。これも同じくツールの摩耗を促進することになる。
【００１１】
欧州特許第１１９７３１９号明細書から、摺動部材と摺動案内部材がガイドクランプによって保持されるくさび駆動ユニットが知られている。これにより、付加的なアングル板または、これら双方のエレメントを結合する他の装置に正確な切削を施して所要の可動隙間を保証する必要がなくなる。さらにまた、製造誤差のみならずその際に生ずる材料の膨張もガイドクランプを介した結合によって吸収することができるため、くさび駆動ユニットないしツールの加熱時にも可動隙間が損なわれることはない。したがって、くさび駆動ユニットの耐久強度も同じくもはや損なわれたり低下したりすることもない。切削が不要とされるにもかかわらず、高い可動精度を達成することができる。この場合、ガイドクランプは摺動案内部材に相補的に係合し、これにより、摺動部材はガイドクランプを介しこうした相補係合を経て摺動案内部材に懸架される。これによって、一方で摩耗を生じやすく、他方で上述した加熱時の可動隙間の毀損の原因となるネジによる摺動案内部材の保持を行うことは不要になる。
【先行技術文献】
【特許文献】
【００１２】
【特許文献１】ドイツ特許第２６４０３１８号明細書
【特許文献２】ドイツ出願公開第２４３９２１７号明細書
【特許文献３】ドイツ特許第２３２９３２４号明細書
【特許文献４】ドイツ特許第１９７５３５４９号明細書
【特許文献５】米国特許第５，１０１，７０５号明細書
【特許文献６】欧州特許第１１９７３１９号明細書
【発明の概要】
【発明が解決しようとする課題】
【００１３】
本発明の目的は、青銅材料が節約されるとともに力の作用領域が最適化され、より安定した摺動領域を有するくさび駆動ユニットを提供することである。
【課題を解決するための手段】
【００１４】
上記課題は請求項１に記載のくさび駆動ユニットによって解決される。
【００１５】
好適な発展形態は従属請求項に記載した通りである。
【００１６】
本発明により、くさび駆動ユニットは３個の主要構成部品つまり駆動部と、駆動側摺動体（摺動クサビ体）と、受け側摺動体（摺動ベース体）とからなる。その他、通例の取付け部品たとえば強制復帰部材、滑り板、バネ、特にガススプリングが設けられている。ガススプリングはプレスの上昇行程に際して駆動側摺動体を当初ポジションに復帰させるが、その際、このガススプリングに支障が生じると、強制復帰部材が駆動側摺動体を当初ポジションに復帰させる。滑り板は駆動側摺動体の機能にとって死活的に重要な役割を有するものではないが、ただしこれは摩耗を低減させあるいは摩耗発生時に容易かつ速やかに交換可能である。加えて、駆動側摺動体をＵＴポジションつまり駆動側摺動体の下死点ポジションに固定するいわゆるロックアウトシステムも設けられている。
【００１７】
本発明によれば、駆動側摺動体の上部と下部を互いに結合するクランプに代えて、摺動基台側壁に設けられた一連の孔を通じて駆動側摺動体を支持して摺動基台内に保持するいわゆる板状の装着部材が使用される。これにより、力の伝達域はより最適化され、換言すれば、力の作用点同士の間隔がガイドクランプによる相補係合の場合に比較して遥かに狭まり、これによって、誤差を小さくすることができ、さらに、熱膨張による誤差変動も減少する。摺動基台はより安定化し、さらに、構造全体が好適化されるため、コストも削減することができる。
【００１８】
本発明による装着部材は摺動基台と駆動側摺動体を相補係合（仕口接合）によって結合し、その際、装着部材は摺動基台に螺着固定される。こうした螺着にかかる荷重はゼロあるいはごく僅かであるにすぎない。
【図面の簡単な説明】
【００１９】
以下、図面を参照して、本発明を例示的に説明する。
【図１】本発明によるくさび駆動ユニットの第１の実施形態の平面図である。
【図２】上記くさび駆動ユニットの側面図である。
【図３】上記くさび駆動ユニットを前方から眺めた図である。
【図４】上記くさび駆動ユニットを下方から眺めた図である。
【図５】切断面を記入した、上記くさび駆動ユニットの側面図である。
【図６】切断面Ａ−Ａによる、図５に示したくさび駆動ユニットの断面図である。
【図７】図６の詳細拡大図である。
【図８】摺動基台とそれに付属する装着部材を分解して示す図である。
【図９】図８の詳細拡大図である。
【図１０】スライダ、駆動部、摺動基台および装着部材の斜視分解図である。
【図１１】摺動基台と装着部材とのさらに別の分解図である。
【図１２】くさび駆動ユニットの斜視側面図である。
【図１３】本発明によるくさび駆動ユニットのさらに別の実施形態の平面図である。
【図１４】図１３に示したくさび駆動ユニットの側面図である。
【図１５】図１３に示したくさび駆動ユニットを前方から眺めた図である。
【図１６】図１３に示したくさび駆動ユニットを下方から眺めた図である。
【図１７】切断面を記入した、図１３に示したくさび駆動ユニットの側面図である。
【図１８】切断面Ａ−Ａによる、図１７に示したくさび駆動ユニットの断面図である。
【図１９】図１８の詳細拡大図である。
【図２０】摺動基台と装着部材を分解して示す、図１３に示したくさび駆動ユニットの斜視図である。
【図２１】図２０の詳細拡大図である。
【図２２】摺動くさび体、駆動部、摺動基台およびそれに付属する装着部材を含む図１３に示したくさび駆動ユニットの斜視分解図である。
【図２３】付属の装着部材と摺動基台を示す、図１３に示したくさび駆動ユニットのさらに別の分解図である。
【図２４】図１３に示したくさび駆動ユニットの斜視図である。
【図２５】本発明によるくさび駆動ユニットのさらに別の実施形態の平面図である。
【図２６】図２５に示したくさび駆動ユニットの側面図である。
【図２７】図２５に示したくさび駆動ユニットを前方から眺めた図である。
【図２８】図２５に示したくさび駆動ユニットを下方から眺めた図である。
【図２９】切断面を記入した、図２５に示したくさび駆動ユニットの側面図である。
【図３０】切断面Ａ−Ａに沿った、図２９に示したくさび駆動ユニットの断面図である。
【図３１】図３０の詳細拡大図である。
【図３２】摺動基台と装着部材を分解して示す、図２５に示したくさび駆動ユニットの斜視図である。
【図３３】図３２の２箇所の詳細拡大図である。
【図３４】摺動くさび体、駆動部、摺動基台および装着部材を示す、図２５に示したくさび駆動ユニットの斜視分解図である。
【図３５】摺動基台とそれに付属する装着部材を分解して示す、図２５に示したくさび駆動ユニットのさらに別の斜視図である。
【図３６】図２５に示したくさび駆動ユニットの斜視図である。
【図３７】くさび駆動ユニットのさらに別の実施形態の平面図である。
【図３８】図３７に示したくさび駆動ユニットの側面図である。
【図３９】図３７に示したくさび駆動ユニットを前方から眺めた図である。
【図４０】図３７に示したくさび駆動ユニットを下方から眺めた図である。
【図４１】切断面を記入した、図３７に示したくさび駆動ユニットを示す図である。
【図４２】面Ｃ−Ｃに沿った、図４１に示したくさび駆動ユニットの断面を示す図である。
【図４３】図４２の詳細拡大図である。
【図４４】装着部材を有する摺動基台を分解して示す、図４２に示したくさび駆動ユニットの斜視図である。
【図４５】図４４の詳細拡大図である。
【図４６】摺動基台とそれに付属する装着部材を示す、図３７に示したくさび駆動ユニットのさらに別の分解図である。
【図４７】図４６の詳細拡大図である。
【図４８】摺動くさび体、駆動部、摺動基台およびそれに付属する装着部材を示す、図３７に示したくさび駆動ユニットの分解図である。
【図４９】摺動基台とそれに付属する装着部材を示す、図３７に示したくさび駆動ユニットのさらに別の分解図である。
【図５０】図３７に示したくさび駆動ユニットの斜視図である。
【図５１】従来の技術によるクランプ用の摺動基台を示す図である。
【図５２】本発明による摺動基台を示す図である。
【図５３】従来の技術による摺動基台の側面図である。
【図５４】本発明による摺動基台の側面図である。
【発明を実施するための形態】
【００２０】
本発明によるくさび駆動ユニット１は、主たる構成要素として、摺動基台２、摺動くさび体３および駆動部４を有している。
【００２１】
摺動基台２は、天壁６と、天壁からそれと直角をなして延びる側壁７と、前壁８と、後壁９とを有するボックス状の構成部品である。前壁８と後壁９とは互いに平行にかつ天壁６に対して直角をなして延び、他方、側壁７は天壁６と前壁８ならびに後壁９に対して垂直ないし直角をなして延びている。
【００２２】
天壁６には、摺動基台２をツールに適合させるための調整バネ１０が設けられており、このバネは長く延びた直平行六面体状に形成されて、天壁６に設けられた対応する調整バネ溝１１内に配置されている。
【００２３】
天壁６と平行をなし、かつ、側壁７および後壁９と直角をなして、後壁９との共通の辺から底壁１２が延びている。
【００２４】
前壁８は天壁６から、後壁９の全長の約１／４の長さにわたり、後壁９と平行をなして延びている。前壁８からは、天壁６と平行に、かつ、側壁７に対して垂直をなして、天壁６の全長の約１／６の長さにわたり、前端底壁１３が後壁９に向かって延びている。下面１２の、後壁９とは反対側の辺と、前端下面１３の、前壁８とは反対側の辺とは、側壁７の、上面６に対して斜めに走る自由辺１４によってつながれている。
【００２５】
底壁１２と前端底壁１３の間の側壁７の自由長辺の領域には、凹部１５が摺動基台２の内部に向かって延び入っている。この凹部１５は側壁７と平行をなして僅かに延び、続いて、ドーム形凹部１６で終わっている。
【００２６】
ドーム形凹部１６には、縦長の長方形をなす溝１７が形成されている。溝１７には、同じく縦長の直平行六面体状に形成され、それぞれ、滑り面１９が溝１７とドーム形凹部１６を越えて突き出した滑り部材１８が取付けられている。
【００２７】
摺動基台２の天壁６には、前壁８および後壁９に隣接して、それぞれ３個の孔が設けられており、これらの孔は前壁８ないし後壁９と平行に配列されて、それぞれの壁面近傍に配置されている。これらの孔は上面６を垂直に貫通して形成されている。この場合、外側の孔２２はツール上部に摺動基台２を螺着するためのネジ孔として用いられ、他方、中央の孔２３は公知の方法で使用されるピン孔である。
【００２８】
側壁７の自由長辺１４に隣接して、凹部１５の領域において、側壁７の厚さのおよそ半分だけ外側から側壁７内に沈下したフラットな窪み２５が彫設されている。これらの窪みは縦長の長方形状に形成され、底壁１２の領域において７の自由長辺を僅かに越えて延び、前端底壁１３の領域において同じく７の自由長辺１４を少し越えて延びている。
【００２９】
窪み２５の長手方向中心線に沿って、隅の丸められた長方形状に形成され、窪み２５の長手方向に沿って同じ方向に延びる３個の受け孔２６が設けられている。さらに、窪みの底面領域には、直列した受け孔２６と同じ長手方向中心線上にさらに組付け孔２７が設けられている。
【００３０】
窪み２５と受け孔２６とは板状の装着部材３０の収容を目的としており、この装着部材の機能態様については後に説明することとする。
【００３１】
装着部材３０は、外側面３１と、内側面３２と、長辺縁３３と短辺縁３４とを有した縦長の板状エレメントである。
【００３２】
この場合、装着部材３０は窪み２５の長手方向長さよりも若干短い長手方向長さを有しており、双方の短辺縁３４の領域で窪み端部にやや近接し、長手方向中心線に沿って両端にそれぞれ１個の短冊孔３５を有している。この短冊孔は、組付け孔２７に螺挿されるそれぞれ１本のネジボルトによって装着部材３０を窪み２５内において長手方向摺動可能に配設するために用いられる。
【００３３】
装着部材３０の内側面３２には、案内突起３６が長手方向に直列配置されている。これらの案内突起はボックス状ないし角柱状のエレメントであり、その底部の幅は受け孔２６の幅にほぼ等しいまたはそれよりも僅かに小さく、装着部材３０の長手方向に沿ったその長さは、装着部材３０の長手方向摺動を保証するために、受け孔２６の長手方向長さよりも短い。これらの案内突起３６は、内側面３２から離間して、それぞれの長手側の側面にそれぞれ１つの切欠き面３７を有しており、その際、これらの切欠き面３７は同じ方向に、つまり互いに平行に形成されている。これにより、案内突起３６にはその収容のために、内側面３２に隣接して、窪み２５の領域における側壁７の厚さにほぼ等しい高さを有した底部が残されている。装着部材３０の使用状態において自由長辺１４側を向いた長手辺縁３８は孔２６の案内突起３６側の長手辺縁と共に第１の支持部を形成する。長手辺縁３８とは反対側の切欠き面３７はさらに以下に説明する摺動くさび体３を支承するように形成されている。
【００３４】
組み付けられた状態において、装着部材３０の内側面３２は窪み２５の底に接しており、その際、案内突起３６は孔２６を貫通し、切欠き面３７を有する領域は孔を貫き側壁７を越えて突き出ている。
【００３５】
摺動くさび体３は摺動基台２の幅とほぼ等しい幅を有する同じくボックス状の構成部品である。摺動くさび体３は後壁４０と、垂直をなして後壁４０から延びる側壁４１とを有している。さらに、摺動くさび体３は、後壁４０と側壁４１とを結合する幅の狭い天壁４２を有している。その際、天壁４２は後壁４０に対して直角をなして少し延び、さらに、屈曲辺４３を経て上方に向かって少し延びている。さらに、摺動くさび体３は、後壁４０から、後壁４０および側壁４１に対して垂直をなし、後壁４０から見て天壁４２の２倍の長さにわたって延びる底壁４４を有している。底壁４４からは、後壁４０と平行をなして短い前壁４５が延びており、この前壁は屈曲辺４６を経て斜面４７に移行して天壁４２に達するまで延び、こうして、天壁と底壁４４とを連結している。斜面４７の長手方向中心線に沿って、断面が矢印の形をなすレール４８が一体に形成されている。したがって、この矢印形のレール４８は、斜面４７から突出する基台４９と、その上に位置する断面ないし輪郭が屋根形の屋根形部５０とを有している。この屋根形部５０はそれぞれ側面５２を有する２つの傾斜屋根面５１を形成している。側面５２と斜面４７との間には、基台４９と、屋根形部５０と、斜面４７とによってそれぞれ１つの溝５３が形成される。この場合、ドーム形凹部５０は摺動くさび体３の幅よりも小さな幅を有している。
【００３６】
基台４９の領域には、断面が矢印形のレール４８の長手方向に沿って、公知のガススプリング５４が配置され、このガススプリング５４は天壁４２の領域においてエレメント４８を越えて突き出ている。
【００３７】
断面が矢印形のレール４８ないし屋根形部５０の傾斜屋根面５１は、凹部１６や滑り部材１８ないし溝１７に対応した形を有しているために、摺動基台２に摺動くさび体３を差込むと、その傾斜屋根面５１は滑り部材１８の滑り面１９に密接する。装着部材３０が組み付けられていれば、切欠き面３７は溝５３に係合して、面５２の領域の下側面で屋根エレメント５０に密接するため、これによって、摺動くさび体３は摺動基台２に保持される。溝領域内において屋根形部の下側面５５に対向する切欠き面３７と面５５とは第２の支持部を形成し、この第２の支持部が、孔２６と辺縁３８の間の第１の支持部と連携することにより、摺動くさび体３は摺動基台２内に支持される。この支持は案内突起に沿って長手方向摺動可能に行なわれ、その際、ガススプリング５４は摺動くさび体を当初ポジションに復帰させるように配置されている。
【００３８】
底壁４４には、側面４１と共通の側方辺縁から等しく離間して、底面４４の長手方向長さ全体にわたって延びるドーム形凹部５７が設けられている。
【００３９】
ドーム形凹部５７には、頂点または頭頂域の両側に、長手方向に延びる溝５８が彫設され、相応して形成された滑り部材５９が同所に嵌設され、それぞれ溝５８を越えて僅かに突き出ている。
【００４０】
側壁４１を側壁４１のおおよそ長手方向中央において延長することにより、それぞれ１つの公知の強制復帰部材が側壁４１の延長部として底壁４４を越えて延びている。この延長部は底壁を越えて僅かに延び出て、続いて、フック状に内側に向かうまたは底壁４４と平行をなすフックアームを形成している。
【００４１】
さらに、くさび駆動ユニット１はいわゆる駆動部４を含んでいる。駆動部４は同じく、長く延びたボックス状の構成部品であり、パンチ面としての底壁６３と、互いに平行をなしかつ底壁に対して直角に配置された端壁６４、６５と、底壁と端壁に対して垂直をなして延びる２つの側壁６６とを有している。
【００４２】
駆動部４は、底壁６３に対して斜めをなして、特にやや下降傾斜する天井壁６７を有しており、この天井壁は、側壁６６に向かって下降する斜面６８によって長手方向に屋根形に形成することで、摺動くさび体３の底壁４４に形成されたドーム形凹部５７に対応した形状をもつことになり、組み付けられた状態において、面６８は滑り部材５９に密接する。
【００４３】
側壁６６のほぼ中央において横向きに外側に張り出した突起６９が、側壁６６と天井壁６７との共通の辺に隣接して配置されている。この突起は強制復帰部材６０と相互作用するものであり、摺動くさび体３が斜面上を下降するように、駆動部４上を摺動すると、強制復帰部材６０は突起６９と相互作用し、摺動くさび体と駆動部とを両者が互いに離れないように連結する。この連結は摺動くさび体が戻り行程を完了するまで強制的に行われる。その後初めて連結が解除される。
【００４４】
駆動部４の底壁６３には、さらに、ネジ孔７０とツール下部用のピン孔７１が配置されている。こうして、摺動基台２はツール上部に、駆動部はツール下部にそれぞれ固定可能であり、他方、摺動くさび体３は滑り部材１８に沿って、および滑り部材５９に沿って摺動可能である。
【００４５】
本発明の重要な点は、摺動くさび体３は装着部材３０を介して摺動基台２に保持されており、溝５３が案内突起３６と係合し、これらの案内突起３６がまた摺動基台２の側壁７に設けられた一連の孔に支持されることによって摺動可能な連結が達成される点にある。これによって、クランプを備えたくさび駆動ユニットとは異なり、本発明によれば第１ならびに第２の支持部である、異なる力の作用点間の距離がかなり短縮されるため、誤差を極めて小さくすることができ、熱に起因するひずみも遥かに僅かな程度ですむ。
【００４６】
さらに、本発明によるこの実施形態は、くさび駆動ユニットの安定性ならびに耐久強度の向上も可能となる。
【００４７】
加えて、鋳造材料とは異なり比較的高価な軸受青銅材料の使用を減らすことができ、さらに、装着部材および装着部材３０の切欠き面３７の仕様に応じて、摩耗時には装着部材を長手方向にずらすことができるのみならず、右側と左側または左側と右側を交換することにより「摩耗していない」切欠き面３７を使用することができるという利点もある。ただし、こうするためには装着部材が左右対称的に形成されていることが前提となる。
【００４８】
さらに別の好適な実施形態（図１３〜２４）において、窪み２５は拡幅されて形成されており、その際、装着部材３０の組付け孔３５は案内突起３６の位置に対して側方にずらして配置され、そのため、断面で見て、案内突起３６を有する装着部材３０は概Ｌ形の断面を生じている（図１８、１９）。
【００４９】
ただし、案内突起３６自体の機能は先の実施形態における機能と同じであり、摺動基台２への装着部材３０の固定点が凹部１６の領域から摺動基台２の中実部に移されている点が相違しているだけである。その他の点については、第１の実施形態について述べたものと同じである。
【００５０】
さらに別の好適な実施形態（図２５〜３６）においても機能は基本的に先の実施形態の場合と同じであるため、以下に述べる相違を別として、先の実施形態の記述が当てはまる。
【００５１】
この実施形態において、窪み２５は一連の孔２６に隣接すると共に、孔２６と自由辺１４と側壁７とリブ２８とによって限界されており、このリブ領域において側壁７は中実に形成されている。リブ２８からは、孔２６同士の間の箇所において、窪み２５の内部に向かってそれぞれ１本のリブ２９が延びており、このリブ領域において同じく壁面材料は特に、凹部１６の領域における側壁７と同じ肉厚を有している。これによって、特に第１の支持部の力の作用域は大幅に安定化される。
【００５２】
窪み内に相応した装着部材３０を配置し得るよう、装着部材３０はリブ２９の長さよりも幅広に形成されており、特に、先に述べた実施形態の場合と基本的に同じ形状を有している。リブ２９を収容するために装着部材３０に設けられた切欠き溝３９は特に、リブ２９が存在しても装着部材３０の長手方向摺動が保証されるように、リブ２９よりも僅かに深くかつ僅かに幅広に形成されている。
【００５３】
したがって、この実施形態において、特に、受け孔２６間の領域は摺動基台２を形成する材料によって補強されている。
【００５４】
さらに別の好適な実施形態（図４１〜５０）において、基本構造部品とそれらの機能は基本的に同じであるが、ただしこの場合、摺動基台２と摺動くさび体３の間ないし装着部材の切欠き面３７と摺動くさび体の面５５の間のすべり面の摩耗補償は、突起３６の切欠き面３７を一方とし、装着部材３０の摺動を他方として、摩耗が補償されることによって行われるのではなく、装着部材全体が側壁７に向かって変位させられ、突起３６が摺動くさび体３の面５５上に載置されるように変位されることによって行われる。
【００５５】
この実施形態においては、リブ２８が設けられており、この場合、リブ２８の窪み側の面は辺１４と平行をなしていず、孔２６の領域に勾配区間２８ｂを有しており、この勾配区間は段２８ａを経て、隣接する受け孔２６の領域に配置された次の勾配区間２８ｂに向かって下降してゆく。
【００５６】
装着部材３０は、長辺３３ｂに沿って、組み付けられた状態において段２８ａに対向する段３３ａを経て次の勾配区間に向かって下降してゆく対応する斜面３３ｂを有している。
【００５７】
受け孔２６は辺１４に対して、同じく、勾配区間２８ｂの勾配に対応してやや傾斜しているため、装着部材３０の摺動時に突起３６は傾斜に応じてドーム形凹部１６に近接するようにずらされ、こうして、摺動くさび体３が組み付けられていれば、摩耗に起因する遊びが補償される。
【００５８】
この場合、突起３６の切欠き面３７は、同じく、斜面２８ｂの延びに応じて傾斜していてよく、これにより、突起３６がドーム形凹部５０に密接する動きが増強される。また、別法として、切欠き面３７はその傾斜が面２８ｂの傾斜とは逆をなして延び、こうして、面３７がより多くかつ特に全面的に面５５に密接するように形成されていてもよい。
【００５９】
これはまた、面３７と５５の間の摩耗を全面的な密接によってさらに低下させられることを意味している。
【００６０】
図４２と４３から看取されるように、滑り部材１８は螺着によって当該溝に保持されており、その際、当該ネジ孔１８ａは摺動基台２に設けられている。
【００６１】
すべての実施形態において、装着部材３０の長手方向に沿って螺挿することにより、装着部材３０の一方の短辺に作用して装着部材３０を摺動させることのできる調節ネジが摺動基台２に設けられていてよく、その際、短冊孔３５を通して組付け孔２７に螺挿配置されるボルトによって装着部材３０を摺動基台２に固定することができる。必要に応じ、装着部材３０を摺動させるための調節ネジ（不図示）の負荷を軽減しかつ／または組み付けた状態において装着部材の固定を容易にするため、装着部材３０の内側面には、組付けネジを締め付けた後の滑り摩擦を大幅に高めるべく、微細歯形付けまたは表面不整化あるいは同等な表面加工が行われていてよく、この場合、溝底にも相応した表面加工が施されていてよいことは言うまでもない。
【００６２】
従来の技術に比較した本発明の利点は図５１〜５４に示した摺動基台２によっても看取される。従来のクランプスライダにおいてスライダベッドは比較的オープンに形成されており、その際、摺動くさび体の溝に爪状に係合するクランプは側方に載設される。このクランプもまた摺動基台に螺着される。
【００６３】
本発明による摺動基台２（図５２〜５４）において、側壁７は摺動基台２のドーム形凹部を遥かに越えて引き出され、摺動くさび体３のガイドとして機能し、その際、大きく引き出された側壁が摺動基台２の非常に安定した材料からなることによって、高度な安定性が与えられる。こうして、装着部材３０の役割は摺動基台２への摺動くさび体３の圧着ならびに保持という本来の目的に限定されることになり、このこともまた軸受青銅の使用の大幅な減少を意味する。
【００６４】
以上に本発明を、懸架式くさび駆動ユニットを例として説明したが、ただし、本発明はそれに制限されるものではない。本発明は下部摺動くさび駆動ユニットに適用しても同じ成果をもたらすことは言うまでもない。
【符号の説明】
【００６５】
１    くさび駆動ユニット
２    摺動基台
３    摺動くさび体
４    駆動部
６    ２の上面
７    ２の側壁
８    ２の前壁
９    ２の後壁
１０  調整バネ
１１  調整バネ溝
１２  底壁
１３  前端底壁
１４  ７の自由長辺
１５  凹部
１６  ドーム形凹部
１７  溝
１８  滑り部材
１９  滑り面
２２  ネジ孔
２３  ピン孔
２５  窪み
２６  受け孔
２７  組付け孔（ピン孔）
３０  装着部材
３１  ３０の外側面
３２  ３０の内側面
３３  ３０の長辺縁
３４  ３０の短辺縁
３５  ３０の短冊孔
３６  ３０の案内突起
３７  切欠き面
３８  長手辺縁
４０  ３の後壁
４１  ３の側壁
４２  ３の天壁
４３  ４２における屈曲辺
４４  底壁
４５  短い前壁
４７  斜面
４８  矢印形のレール
４９  基台
５０  屋根形部
５１  屋根面
５２  側面
５３  溝
５４  ガススプリング
５５  ５０の受け面
５７  ４４におけるドーム形凹部
５８  溝
５９  滑り部材
６０  強制復帰部材
６３  ４の底壁
６４  ４の端壁
６５  ４の端壁
６６  側壁
【図１】
2012511433.tif 000003
【図２】
2012511433.tif 000004
【図３】
2012511433.tif 000005
【図４】
2012511433.tif 000006
【図５】
2012511433.tif 000007
【図６】
2012511433.tif 000008
【図７】
2012511433.tif 000009
【図８】
2012511433.tif 000010
【図９】
2012511433.tif 000011
【図１０】
2012511433.tif 000012
【図１１】
2012511433.tif 000013
【図１２】
2012511433.tif 000014
【図１３】
2012511433.tif 000015
【図１４】
2012511433.tif 000016
【図１５】
2012511433.tif 000017
【図１６】
2012511433.tif 000018
【図１７】
2012511433.tif 000019
【図１８−１９】
2012511433.tif 000020
【図２０】
2012511433.tif 000021
【図２１】
2012511433.tif 000022
【図２２】
2012511433.tif 000023
【図２３】
2012511433.tif 000024
【図２４】
2012511433.tif 000025
【図２５】
2012511433.tif 000026
【図２６】
2012511433.tif 000027
【図２７】
2012511433.tif 000028
【図２８】
2012511433.tif 000029
【図２９】
2012511433.tif 000030
【図３０−３１】
2012511433.tif 000031
【図３２】
2012511433.tif 000032
【図３３】
2012511433.tif 000033
【図３４】
2012511433.tif 000034
【図３５】
2012511433.tif 000035
【図３６】
2012511433.tif 000036
【図３７】
2012511433.tif 000037
【図３８】
2012511433.tif 000038
【図３９】
2012511433.tif 000039
【図４０】
2012511433.tif 000040
【図４１】
2012511433.tif 000041
【図４２−４３】
2012511433.tif 000042
【図４４】
2012511433.tif 000043
【図４５】
2012511433.tif 000044
【図４６】
2012511433.tif 000045
【図４７】
2012511433.tif 000046
【図４８】
2012511433.tif 000047
【図４９】
2012511433.tif 000048
【図５０】
2012511433.tif 000049
【図５１】
2012511433.tif 000050
【図５２】
2012511433.tif 000051
【図５３】
2012511433.tif 000052
【図５４】
2012511433.tif 000053
【国際調査報告】
2012511433.tif 000054
2012511433.tif 000055
2012511433.tif 000056
2012511433.tif 000057